(57)【要約】【課題】画像の連続再生時において所望する部分を容易に確認できる撮像装置を提供する。【解決手段】画像データを格納する記憶手段と、画像データの１画像毎の表示時間を設定したタイムテーブルを作成するタイムテーブル作成手段と、タイムテーブル作成手段により作成されたタイムテーブルに従って画像データを連続的に再生する連続再生手段と、を備える。【選択図】図７
2010220206.tif 000002
【特許請求の範囲】
【請求項１】
画像データを格納する記憶手段と、
前記画像データの１画像毎の表示時間を設定したタイムテーブルを作成するタイムテーブル作成手段と、
前記タイムテーブル作成手段により作成されたタイムテーブルに従って画像データを連続的に再生する連続再生手段と、を備えることを特徴とする撮像装置。
【請求項２】
前記記憶手段は、格納される画像に連写画像か否かのフラグを有することを特徴とする請求項１記載の撮像装置。
【請求項３】
前記タイムテーブル作成手段は、選択された画像を中心としてその他の画像に比べ、表示時間が長くなるようタイムテーブルを作成することを特徴とする請求項１又は２記載の撮像装置。
【請求項４】
前記記憶手段に格納される画像データを一覧表示して選択させることを特徴とする請求項３記載の撮像装置。
【請求項５】
対象となる画像とその他の画像とを比較することで画像内の動きを検出する動き検出手段を備え、
前記タイムテーブル作成手段は、前記動き検出手段の動きの検出状態に応じて表示する速度を変更してタイムテーブルを作成することを特徴とする請求項１から４のいずれか１項に記載の撮像装置。
【請求項６】
前記タイムテーブル作成手段は、前記動き検出手段による動きの検出結果が大きい場合に表示速度が遅くなるようタイムテーブルを作成することを特徴とする請求項５記載の撮像装置。
【請求項７】
前記動き検出手段は、指定されたエリアの動きを検出することを特徴とする請求項５又は６記載の撮像装置。
【請求項８】
記憶部に格納された画像データにおける１画像毎の表示時間を設定したタイムテーブルを作成するタイムテーブル作成ステップと、
前記タイムテーブル作成ステップにより作成されたタイムテーブルに従って画像データを連続的に再生する連続再生ステップと、を備えることを特徴とする撮像方法。
【請求項９】
対象となる画像とその他の画像とを比較することで画像内の動きを検出する動き検出ステップを備え、
前記タイムテーブル作成ステップは、前記動き検出ステップにおける動きの検出状態に応じて表示する速度を変更してタイムテーブルを作成することを特徴とする請求項８記載の撮像方法。
【発明の詳細な説明】
【技術分野】
【０００１】
本発明は、例えば、デジタルカメラ、カメラ付き携帯電話機やＰＤＡのような撮像機能を備えた携帯情報機器などの撮像装置および撮像方法に関し、特に高速連写が可能なＣＭＯＳ撮像素子を搭載した撮像装置に好適なものである。
【背景技術】
【０００２】
近年デジタルスチルカメラのコンパクト化に対応するために撮像素子の小型化が進み、従来広く使用されていたＣＣＤ（Ｃｈａｒｇｅ  Ｃｏｕｐｌｅｄ  Ｄｅｖｉｃｅ）撮像素子に代わりＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）撮像素子を用いものも多くなってきた。
【０００３】
ＣＭＯＳ撮像素子は、ＣＣＤ撮像素子に比べ大きさが若干大きくなる反面、ＣＣＤよりも高速で撮像することができるという利点を持つ。特にＣＭＯＳ撮像素子の場合は、２４０コマ／秒撮影も可能なものもあり、高速度カメラのような撮影を行えるようになってきている。
【０００４】
高速で連写ができると画像に取り込まれる画像総数が多くなるため、デジタルスチルカメラの画像再生モードで再生する際に、１コマずつでの表示ではユーザにとってストレスとなる。そのため連写画像の表示方法としては、その連写画像を連続再生するようにするのが一般的である。
【０００５】
高速で連写したときの画像の表示方法としては、例えば特許文献１や特許文献２では、撮影時のシャッタスピードに応じた速度で表示を行う技術が提案されている。
【発明の概要】
【発明が解決しようとする課題】
【０００６】
例えば図１に示すようなミルククラウン現象を高速撮影したとする。ミルククラウン現象とは、ミルク等の少し粘性のある液体において水滴が落ちるなどした場合に王冠状のものが発生する現象である。
【０００７】
このようなミルククラウン現象のような環境を撮影する際は、現象がおきる瞬間を捉えるためにその前後に余裕を持たせて撮影し続けるようにするのが一般的である。
【０００８】
しかしながら、特許文献１や特許文献２に記載の技術では、見たい部分である図７の４のミルククラウン現象のおきている周辺も高速秒時で撮影されてしまった場合は、高速表示されてしまうという問題がある。
【０００９】
また低速秒時で撮影した場合でも、ミルククラウンのような表示事態の大半が見たい瞬間以外の画像である場合は、現象がおきる瞬間を見るまで無駄な時間がかかってしまう。なによりミルククラウン現象がおきている部分は通常よりもゆっくりとした速度で表示した方がその現象の確認がしやすくなり、確認したい部分はゆっくり再生し、それ以外は早送りできるような技術が望まれていた。
【００１０】
そこで本発明は、上記問題点に鑑みてなされたもので、画像の連続再生時において所望する部分を容易に確認できる撮像装置を提供することを目的とする。
【課題を解決するための手段】
【００１１】
上記課題を解決するため、本発明における撮像装置は、画像データを格納する記憶手段と、画像データの１画像毎の表示時間を設定したタイムテーブルを作成するタイムテーブル作成手段と、タイムテーブル作成手段により作成されたタイムテーブルに従って画像データを連続的に再生する連続再生手段と、を備えることを特徴とする。
【００１２】
また、対象となる画像とその他の画像とを比較することで画像内の動きを検出する動き検出手段を備え、タイムテーブル作成手段は、動き検出手段の動きの検出状態に応じて表示する速度を変更してタイムテーブルを作成することを特徴とする。
【００１３】
また、本発明における撮像方法は、記憶部に格納された画像データにおける１画像毎の表示時間を設定したタイムテーブルを作成するタイムテーブル作成ステップと、タイムテーブル作成ステップにより作成されたタイムテーブルに従って画像データを連続的に再生する連続再生ステップと、を備えることを特徴とする。
【００１４】
また、対象となる画像とその他の画像とを比較することで画像内の動きを検出する動き検出ステップを備え、タイムテーブル作成ステップは、動き検出ステップにおける動きの検出状態に応じて表示する速度を変更してタイムテーブルを作成することを特徴とする。
【発明の効果】
【００１５】
本発明により、高速連写で撮影した画像の連続再生時に、所望の部分をゆっくりと再生することで、撮影した画像全てを１コマずつ確認しなくても、所望の連写画像を容易に確認することが可能となる。
【図面の簡単な説明】
【００１６】
【図１】ミルククラウン現象の説明図である。
【図２】本発明の実施形態に係るデジタルカメラのシステム構成の概要図である。
【図３】本発明の実施形態に係るデジタルカメラの外観図（その１）である。
【図４】本発明の実施形態に係るデジタルカメラの外観図（その２）である。
【図５】本発明の実施形態に係るデジタルカメラの外観図（その３）である。
【図６】撮影モード選択画面である。
【図７】本発明の実施形態に係るデジタルカメラの機能ブロック図である。
【図８】本発明の実施形態に係るデジタルカメラの再生時におけるフローチャート図である。
【図９】再生画像の表示例である。
【図１０】連写表示方法選択画面例（その１）である。
【図１１】複数画像表示例である。
【図１２】画像選択時の表示例である。
【図１３】本発明の他の実施形態に係るデジタルカメラの機能ブロック図である。
【図１４】本発明の他の実施形態に係るデジタルカメラの再生時におけるフローチャート図である。
【図１５】連写表示方法選択画面例（その２）である。
【図１６】動き検出エリア選択画面例である。
【図１７】動き検出の説明図である。
【図１８】動き検出におけるヒストグラム例である。
【発明を実施するための形態】
【００１７】
次に、発明を実施するための最良の形態について図面を参照して詳細に説明する。
【００１８】
図２は、本発明の実施形態における撮像装置の例であるデジタルスチルカメラのシステム構成の概要図である。また、図３から図５は、本発明の実施形態におけるデジタルスチルカメラの外観図である。
【００１９】
図３乃至図５において、カメラの上面には、レリーズスイッチＳＷ１と、モードダイアルＳＷ２と、サブ液晶ディスプレイ（以下、液晶ディスプレイを「ＬＣＤ」という）１と、が配置されている。
【００２０】
またカメラの正面には、撮影レンズを含む鏡筒ユニット７と、ストロボ発光部３と、光学ファインダ４と、測距ユニット５と、リモコン受光部６と、メモリカード装填室および電池装填室の蓋２と、が配置されている。
【００２１】
カメラの背面には、光学ファインダ４と、ＡＦ用ＬＥＤ８と、ＬＣＤモニタ１０と、ストロボＬＥＤ９と、電源スイッチ１３と、広角方向ズームスイッチＳＷ３と、望遠方向ズームスイッチＳＷ４と、セルフタイマの設定および解除スイッチＳＷ５と、メニュースイッチＳＷ６と、上移動およびストロボセットスイッチＳＷ７と、右移動スイッチＳＷ８と、ディスプレイスイッチＳＷ９と、下移動およびマクロスイッチＳＷ１０と、左移動および画像確認スイッチＳＷ１１と、ＯＫスイッチＳＷ１２と、クイックアクセススイッチＳＷ１３と、が配置されている。
【００２２】
また、デジタルスチルカメラ内部のシステム構成は、図２に示すように各部はデジタルスチルカメラプロセッサ１０４（以下、単に「プロセッサ１０４」という）によって制御される。
【００２３】
プロセッサ１０４は、ＣＭＯＳ１信号処理ブロック１０４−１と、ＣＭＯＳ２信号処理ブロック１０４−２と、ＣＰＵブロック１０４−３と、ローカルＳＲＡＭ１０４−４と、ＵＳＢブロック１０４−５と、シリアルブロック１０４−６と、ＪＰＥＧ・ＣＯＤＥＣブロック１０４−７と、ＲＥＳＩＺＥブロック１０４−８と、ＴＶ信号表示ブロック１０４−９と、メモリカードコントローラブロック１０４−１０と、を有してなり、これらは相互にバスラインで接続されている。
【００２４】
プロセッサ１０４の外部には、ＲＡＷ−ＲＧＢ画像データと、ＹＵＶ画像データと、ＪＰＥＧ画像データと、を保存するＳＤＲＡＭ１０３が配置されていて、プロセッサ１０４とバスラインによってつながっている。
【００２５】
また、プロセッサ１０４の外部にはさらにＲＡＭ１０７と、内蔵メモリ１２０と、制御プログラムが格納されたＲＯＭ１０８と、が配置されていて、プロセッサ１０４とバスラインによってつながっている。
【００２６】
前記鏡筒ユニット７は、ズームレンズ７−１ａを有するズーム光学系７−１とフォーカスレンズ７−２ａを有するフォーカス光学系７−２と、絞り７−３ａを有する絞りユニット７−３と、メカニズムシャッタ７−４ａを有するメカシャッタユニット７−４と、を有する。
【００２７】
ズーム光学系７−１、フォーカス光学系７−２、絞りユニット７−３、メカシャッタユニット７−４は、それぞれズームモータ７−１ｂ、フォーカスモータ７−２ｂ、絞りモータ７−３ｂ、メカシャッタモータ７−４ｂによって駆動されるようになっており、これら各モータは、プロセッサ１０４のＣＰＵブロック１０４−３によって制御されるモータドライバ７−５によって動作が制御される。
【００２８】
鏡筒ユニット７は、撮像素子であるＣＭＯＳ１０１に被写体像を結ぶ撮影レンズを有している。
【００２９】
ＣＭＯＳ１０１は、画素を２次元的に配置してなるエリアセンサを構成していて、上記被写体像を画像信号に変換してＦ／Ｅ−ＩＣ１０２に入力する。
【００３０】
Ｆ／Ｅ−ＩＣ１０２は、ＣＤＳ１０２−１と、ＡＤＣ１０２−２と、Ａ／Ｄ変換部１０２−３と、を有し、上記画像信号にそれぞれ所定の処理を施し、デジタル信号に変換してプロセッサ１０４のＣＭＯＳ１信号処理ブロック１０４−１に入力する。これらの信号処理動作は、プロセッサ１０４のＣＭＯＳ１信号処理ブロック１０４−１から出力される垂直駆動信号ＶＤと水平駆動信号ＨＤにより、ＴＧ１０２−４を介して制御される。
【００３１】
プロセッサ１０４のＣＰＵブロック１０４−３は、音声記録回路１１５−１による音声記録動作を制御する。音声記録回路１１５−１は、マイクロホン１１５−３で変換された音声信号のマイクロホンアンプ１１５−２による増幅信号を、指令に応じて記録する。
【００３２】
なお、ＣＰＵブロック１０４−３は、音声再生回路１１６−１の動作も制御する。音声再生回路１１６−１は、指令により、適宜のメモリに記録されている音声信号を再生してオーディオアンプ１１６−２に入力し、スピーカー１１６−３から音声を出力するように構成されている。
【００３３】
ＣＰＵブロック１０４−３はまた、ストロボ回路１１４の動作を制御することによってストロボ発光部３から照明光を発光させるようになっている。また、ＣＰＵブロック１０４−３は測距ユニット５の動作も制御する。
【００３４】
ＣＰＵブロック１０４−３は、プロセッサ１０４の外部に配置されたサブＣＰＵ１０９とつながっていて、サブＣＰＵ１０９はＬＣＤドライバ１１１を介してサブＬＣＤ１による表示を制御する。サブＣＰＵ１０９はさらに、ＡＦＬＥＤ８、ストロボＬＥＤ９、リモコン受光部６、前記スイッチＳＷ１〜ＳＷ１３からなる操作キーユニット、ブザー１１３とつながっている。
【００３５】
ＵＳＢブロック１０４−５は、ＵＳＢコネクタ１２２につながっており、シリアルブロック１０４−６は、シリアルドライバ回路１２３−１を介してＲＳ−２３２Ｃコネクタにつながっている。
【００３６】
ＴＶ表示ブロック１０４−９は、ＬＣＤドライバ１１７を介してＬＣＤモニタ１０につながっており、また、ビデオアンプ１１８を介してビデオジャック１１９につながっている。
【００３７】
メモリカードコントローラブロック１０４−１０は、メモリカードスロット１２１の、カード接点との接点につながっている。
【００３８】
次に、従来のデジタルスチルカメラの動作を概略的に説明する。
【００３９】
図２に示すモードダイアルＳＷ２を記録モードに設定すると、カメラが記録モードで起動する。モードダイアルＳＷ２の設定は、図３における操作部に含まれるモードスイッチの状態が記録モードＯＮになったことをＣＰＵが検知し、ＣＰＵがモータドライバ７−５を制御して、鏡胴ユニット７を撮影可能な位置に移動させることによって行われる。
【００４０】
さらにＣＭＯＳ１０１、Ｆ／Ｅ−ＩＣ１０２、ＬＣＤディスプレイ１０等の各部に電源を投入して動作を開始させる。各部の電源が投入されると、ファインダモードの動作が開始される。
【００４１】
ファインダモードでは、レンズを通して撮像素子（ＣＭＯＳ１０１）に入射した光は、電気信号に変換され、アナログのＲ，Ｇ，Ｂ信号としてＣＤＳ回路１０２−１、Ａ／Ｄ変換器１０２−３に送られる。
【００４２】
Ａ／Ｄ変換器１０２−３でデジタル信号に変換されたそれぞれの信号は、デジタル信号処理ＩＣ（ＳＤＲＡＭ１０３）内のＹＵＶ変換部でＹＵＶ信号に変換され、メモリコントローラによってフレームメモリに書き込まれる。
【００４３】
ＹＵＶ信号は、メモリコントローラに読み出され、ＴＶ信号表示ブロック１０４−９を介してＴＶやＬＣＤモニタ１０へ送られ、画像が表示される。この処理が１／３０秒間隔で行われ、１／３０秒ごとに更新されるファインダモードの表示となる。
【００４４】
静止画記録に関しては、レリーズＳＷ１が押されたことを検知すると、Ｆ／Ｅ−ＩＣ１０２とＣＭＯＳ１０１に静止画記録のための露光用設定を行い、露光完了と同時にメカシャッタを駆動してシャッタを閉じる。
【００４５】
ＣＰＵブロック１０４−３は、露光完了直前にＣＭＯＳ１０１に静止画取り込み用の設定を行い、露光完了とともにＣＭＯＳ１０１からのデータの取り込みを行う。
【００４６】
ＣＭＯＳ１０１を介してＳＤＲＡＭに取り込まれた「ＲＡＷ−ＲＧＢ画像データ」は、ファインダモード時と同様にデジタル信号処理ＩＣ（ＳＤＲＡＭ１０３）のＹＵＶ変換部でＹＵＶ信号としてＳＤＲＡＭへ書き戻される。
【００４７】
ＹＵＶ信号は、ＪＰＥＧコーデックユニットに読み出されてＪＰＥＧ圧縮が行われ、ＳＤＲＡＭ１０３へ書き戻され、所定のヘッダ情報付加がなされた後に、ＤＯＳ等の所定の書式にしたがってメモリカードへ保存される。
【００４８】
モードダイアルＳＷ２が記録モードの場合に、メニュースイッチＳＷ６が押されると図６のように連写・単写モードのいずれかを選択することが可能となる。連写モードに関しては、レリーズＳＷ１が押されている間は、上記の静止画記録の流れを繰り返し行い、レリーズＳＷ１が離される連写終了まではＳＤＲＡＭ上に溜め込まれる。連写終了時では、それぞれの画像にヘッダ情報追加して付加し、メモリカードに保存する。
【００４９】
なお、ヘッダ情報には連写モードの際には、
（１）．画像の総枚数
（２）．その画像が何枚目かを示す画像番号
（３）．連写画像か否かを判別するフラグ
を追加する。
【００５０】
画像再生に関しては、モードダイアルＳＷ２が再生モードであった場合に実行される。再生は、メモリカードに保存されている画像をＳＤＲＡＭ１０３上に展開し、その後デジタル信号処理ＩＣ（ＳＤＲＡＭ１０３）内のＹＵＶ変換部でＹＵＶ信号に変換され、メモリコントローラによってフレームメモリに書き込まれる。このＹＵＶ信号はメモリコントローラに読み出され、ＴＶ信号表示ブロック１０４−９を介して、ＴＶやＬＣＤモニタ１０へ送られ、画像が表示される。
【００５１】
（実施形態１）
図７は、本発明の実施形態におけるデジタルカメラの機能ブロック図である。本デジタルスチルカメラは、撮像部１０１と、記憶部１０２と、タイムテーブル作成部１０３と、再生部１０４と、を有して構成される。
【００５２】
記憶部１０２は、撮像部１０１にて撮像された被写体の画像データを格納する。その際、（１）．画像の総枚数、（２）．その画像が何枚目かを示す画像番号、（３）．連写画像か否かを判別するフラグが各画像データに関連付けられて格納されている。
【００５３】
タイムテーブル作成部１０３は、ユーザの所望する画像データ付近がゆっくりと再生されるように、連続再生時における各画像の表示時間を算出してタイムテーブルを作成する。
【００５４】
再生部１０４は、タイムテーブル作成部１０３にて作成されたタイムテーブルを参照して連続再生を行う。また、ユーザに所望の画像データを選択させる場合には、複数の画像データを一覧表示する。
【００５５】
本発明の第１の実施形態に係るデジタルカメラの動作について図８に示す画像再生時に関する全体のフローチャートを参照に詳細に説明する。
【００５６】
まず、モードダイアルＳＷ２が再生モードであった場合は、図９のようにＬＣＤ上に再生画像が表示される（ステップＳ８１）。
【００５７】
ここでメニューボタンＳＷ６が押された場合（ステップＳ８２）、現在表示されている画像が連写画像のうちの１枚であった場合は、図１０右上で示されるような連写画像メニュー表示がされる（ステップＳ８３）。この判別には画像のヘッダ情報にある「（３）．連写画像か否かを判別するフラグ」をみて判断される。連写画像である場合は、このフラグが立った状態になっている。連写画像メニューには「連続表示」、「スロー選択」、「戻る」の３つの項目が表示される。
【００５８】
ここで、「スロー選択」が選択された場合（ステップＳ８４）、図１１のように複数コマ再生表示に切り替わる。なお、このときの画像は連写画像と判断された画像のみを表示する。上下左右スイッチ（ＳＷ７，８，１０，１１）を押すことによって、画像を選択することができ、図１２のようにマークが表示されるようになるため、どこの画像をスロー表示するかを選択することが可能である（ステップＳ８５）。
【００５９】
図１２では７枚目の部分が選択されている状態で、ＯＫスイッチＳＷ９が押される（ステップＳ８６）と、７枚目が選択される。次に、７枚目をスロー再生するようなタイムテーブルを作成する処理を行う（ステップＳ８７）。
【００６０】
以下に示す表１がこのときのタイムテーブルである。ここでは選択された７枚目は１秒間表示するようにしてあり、それ以外に関しては１秒より速い速度に設定している。一般的にＴＶモニタ等では３０フレーム毎秒で表示されているため、ここでは最速速度を０．０３３秒（１／３０秒）とした。
【００６１】
【表１】
2010220206.tif 000003
【００６２】
また、先の連写画像メニュー表示状態で、「スロー選択」ではなく「連続表示」を選択した場合は（ステップＳ８９）、タイムテーブル処理において、表２のように連写画像が連写１枚目から等間隔（ここでは０．０３３秒）の時間となるようにタイムテーブルを作成する。
【００６３】
【表２】
2010220206.tif 000004
【００６４】
「スロー選択」、「連続表示」どちらも選択せず「戻る」を選択した場合は、再生画像表示処理（ステップＳ８１）に戻る。
【００６５】
ステップＳ８７のタイムテーブル作成処理で作成したタイムテーブルにしたがって、連写画像再生処理を行う（ステップＳ８８）。再生時はヘッダ情報のなかから、「（２）．その画像が何枚目かを示す画像番号」を見ていき、その番号が小さいものから順にタイムテーブルに従って表示するような処理を行う。
【００６６】
なお、連続再生は、連写画像に限ることはなく、例えば撮影された順番に連続的に再生し、また、選択された画像付近でゆっくりと表示するようにしても良い。
【００６７】
（実施形態２）
図１３は、本発明の実施形態におけるデジタルカメラの機能ブロック図である。本デジタルスチルカメラは、撮像部１０１と、記憶部１０２と、タイムテーブル作成部１０３と、再生部１０４と、さらに動き検出部１０５と、を有して構成される。
【００６８】
動き検出部１０５は、指定された動き検出エリアにおける画像の変化から、該画像の動きを検出する。このとき検出された動きがユーザにわかるように（例えば、動きの検出結果が大きい場合に表示速度を遅くする）タイムテーブル作成部１０３は、タイムテーブルを作成する。
【００６９】
次に、本発明の第２の実施形態に係るデジタルカメラの動作について、図１４に示す画像再生時に関する全体のフローチャートを参照に詳細に説明する。
【００７０】
モードダイアルＳＷ２が再生モードで合った場合、図９に示すようにＬＣＤ上に再生画像が表示される（ステップＳ１４１）。
【００７１】
ここでメニューボタンＳＷ６が押された場合（ステップＳ１４２）に、現在表示されている画像が連写画像のうちの１枚であった場合は、図１５のように連写画像メニュー表示（ステップＳ１４３）される。この判別には画像のヘッダ情報にある「（３）．連写画像か否かを判別するフラグ」をみて判断される。連写画像である場合は、このフラグが立った状態になっている。メニューには「動き再生」、「連続表示」、「スロー選択」、「戻る」の４つの項目が表示される。
【００７２】
「動き再生」が選択された場合（ステップＳ１４４）、動き検出エリア選択画面処理（ステップＳ１４５）を行う。動き検出エリア選択画面処理は、図１６のように動き検出を行うエリアを上下左右スイッチ（ＳＷ７，８，１０，１１）を押すことで、エリアの座標を移動することができる。エリアの選択はＯＫスイッチＳＷ１２が押されるまで継続する。
【００７３】
エリア選択が終わり、ＯＫスイッチＳＷ１２が押される（ステップＳ１４６）と、画面間の動き検出処理を始める（ステップＳ１４７）。動き検出に関しては方法が多様にあり、そのどれかに限定するものではないが、ここではヒストグラムの差分をとる手法を用いる。
【００７４】
今、図１７のような（ａ）〜（ｆ）の連写画像があったとする。ここでは図１７の（ａ）〜（ｆ）の画像における検出エリアに対して、図１８のようにヒストグラムをとり、そのヒストグラムの一致度を連写開始画像である図１７（ａ）と、それ以降の画像（図１７（ｂ）〜（ｆ））とで比較し、その差分によって表示時間を決定する。例えば図１８(a)の状態から図１８(b)の状態になるような場合は差分が大きいと判断する。
【００７５】
動き検出結果を基にタイムテーブルの作成を行う（ステップＳ１４８）。ここでは各表示時間に関しては、連写画像全体（図１７（ｂ）〜（ｆ））において、ヒストグラムの差分をとり、その差分がもっと大きいものを１秒、小さいものを０．０３３秒(１／３０秒)とし、他の画像は差分の大きさに応じてその間で設定される。表３がそのようにして作成したミルククラウン現象の場合のタイムテーブルである。
【００７６】
【表３】
2010220206.tif 000005
【００７７】
また、先の連写画像メニュー表示において「スロー選択」が選択された場合（ステップＳ９０）、図１１のように複数コマ再生表示に切り替わる。このときの画像は連写画像と判断された画像のみを表示する。
【００７８】
このとき上下左右スイッチ（ＳＷ７，８，１０，１１）を押すことによって、画像を選択することができ、図１２のようにマークが表示されるようになるため、どこの画像をスロー表示するかを選択することが可能である（ステップＳ１５１）。図１２では７枚目の部分が選択されている状態で、ＯＫスイッチＳＷ９が押される（ステップＳ１５２）と、７枚目が選択される。
【００７９】
次に、この７枚目をスロー再生するようなタイムテーブルを作成する処理を行う（ステップＳ１４８）。表１がこのときのタイムテーブルである。ここでは選択された７枚目は１秒間表示するようにしてあり、それ以外に関しては１秒より速い速度に設定している。一般的にＴＶモニタ等では３０フレーム毎秒で表示されているため、ここでは最速速度を０．０３３秒（１／３０秒）とした。
【００８０】
また、先の連写画像メニュー表示状態で、「スロー選択」ではなく「連続表示」を選択した場合（ステップＳ１５３）は、タイムテーブル処理において、表２のように連写画像が連写１枚目から等間隔（ここでは０．０３３秒）の時間となるようにタイムテーブルを作成する。
【００８１】
「スロー選択」、「連続表示」どちらも選択せず「戻る」を選択した場合は、再生画像表示処理（ステップＳ１４１）に戻る。
【００８２】
ステップＳ８８におけるタイムテーブル作成処理で作成したタイムテーブルにしたがって、連写画像再生処理を行う（ステップＳ１４９）。再生時はヘッダ情報のなかから、「（２）．その画像が何枚目かを示す画像番号」を見ていき、その番号が小さいものから順にタイムテーブルに従って表示するような処理を行う。
【００８３】
なお、上記実施形態において「スロー選択」時に１画像を選択していたが、１画像選択ではなく、２画像以上選択できるようにしておくことで、より再生時の使い勝手を向上させることが可能である。
【００８４】
また、実施形態２では動き検知時にヒストグラムをとり、その差分を用いることで動きを検出したが、この限りではなくもっと厳密な演算、例えばオプティカルフローによる動きベクトル検出手法等、より正確なものを用いるとさらに好ましい。また、エリアを選択しなくとも、全体の動きから判断するよう構成しても良い。
【００８５】
本発明の実施形態によれば、高速連写で撮影した画像の表示の際に、確認したい部分に関してはゆっくり再生し、それ以外は早送りすることが可能となり、大量に撮影した画像を１コマずつ確認しなくても、容易に連写画像を確認することが可能になる。
【００８６】
以上、実施の形態を説明したが、特許請求の範囲に定義された本発明の広範囲な趣旨および範囲から逸脱することなく、これら実施の形態や具体例に様々な修正および変更が可能である。
【符号の説明】
【００８７】
１０１    撮像部
１０２    記憶部
１０３    タイムテーブル作成部
１０４    再生部
１０５    動き検出部
【先行技術文献】
【特許文献】
【００８８】
【特許文献１】特開２００５−１７６２４６号公報
【特許文献２】特開平０５−２２４２８７号公報
【図１】
2010220206.tif 000006
【図２】
2010220206.tif 000007
【図３】
2010220206.tif 000008
【図４】
2010220206.tif 000009
【図５】
2010220206.tif 000010
【図６】
2010220206.tif 000011
【図７】
2010220206.tif 000012
【図８】
2010220206.tif 000013
【図９】
2010220206.tif 000014
【図１０】
2010220206.tif 000015
【図１１】
2010220206.tif 000016
【図１２】
2010220206.tif 000017
【図１３】
2010220206.tif 000018
【図１４】
2010220206.tif 000019
【図１５】
2010220206.tif 000020
【図１６】
2010220206.tif 000021
【図１７】
2010220206.tif 000022
【図１８】
2010220206.tif 000023